(57)【特許請求の範囲】
【請求項１】
所定の条件を満たす者の所定の身体的特徴点を読み取って得られたデータに一定の処理を施こすことにより、固有の識別信号を暗証データとして出力する識別信号確認手段と、
ユーザの前記所定の身体的特徴点を読み取って得られたデータに前記処理と同じ処理を施こして得られた識別信号と、該ユーザが、キー又はボタンの操作により入力した暗証データとが一致したとき一致信号を出力するユーザ認証手段とを具えたことを特徴とするユーザ認証システム。
【請求項２】
所定の条件を満たす者の所定の身体的特徴点を読み取って得られたデータに一定の処理を施こすことにより、固有の識別信号を暗証データとして出力する識別信号確認手段と、
ユーザの前記所定の身体的特徴点を読み取って得られたデータに前記処理と同じ処理を施こして得られた識別信号と、該ユーザが、身体の動作をカメラ介して入力した暗証データとが一致したとき一致信号を出力するユーザ認証手段とを具えたことを特徴とするユーザ認証システム。
【請求項３】
所定の条件を満たす者の所定の身体的特徴点を読み取って得られたデータに一定の処理を施こすことにより、固有の識別信号を暗証データとして出力する識別信号確認手段と、
ユーザの前記所定の身体的特徴点を読み取って得られたデータに前記処理と同じ処理を施こして得られた識別信号と、該ユーザが発した音声をマイクを介して入力した暗証データとが一致したとき一致信号を出力するユーザ認証手段とを具えたことを特徴とするユーザ認証システム。
【請求項４】
ユーザの所定の身体的特徴点を読み取る読取手段と、該読取手段で得られたデータに所定の演算処理を施して識別信号を出力する演算手段と、ユーザが、予め、自己の所定の身体的特徴点を読み取ったデータに、前記演算処理と同じ処理を施して得られたデータを、暗証データとして、キー又はボタンの操作により入力する入力手段と、該入力手段から入力された暗証データと前記演算手段から出力された識別信号とを比較して両者が一致したとき一致信号を出力する一致検出手段とを具えたことを特徴とするユーザ認証装置。
【請求項５】
ユーザの所定の身体的特徴点を読み取る読取手段と、該読取手段で得られたデータに所定の演算処理を施して識別信号を出力する演算手段と、ユーザが、予め、自己の所定の身体的特徴点を読み取ったデータに、前記演算処理と同じ処理を施して得られたデータを、暗証データとして、身体の動作をカメラ介して入力する入力手段と、該入力手段から入力された暗証データと前記演算手段から出力された識別信号とを比較して両者が一致したとき一致信号を出力する一致検出手段とを具えたことを特徴とするユーザ認証装置。
【請求項６】
ユーザの所定の身体的特徴点を読み取る読取手段と、該読取手段で得られたデータに所定の演算処理を施して識別信号を出力する演算手段と、ユーザが、予め、自己の所定の身体的特徴点を読み取ったデータに、前記演算処理と同じ処理を施して得られたデータを、暗証データとして、発した音声をマイクを介して入力する入力手段と、該入力手段から入力された暗証データと前記演算手段から出力された識別信号とを比較して両者が一致したとき一致信号を出力する一致検出手段とを具えたことを特徴とするユーザ認証装置。
【発明の詳細な説明】
【０００１】
【発明の属する技術分野】
本発明は、アルコール飲料自動販売機やタバコ自動販売機において、ユーザの認証を行って未成年者への販売を防止する場合等に利用可能なユーザ認証システム及びユーザ認証装置に関するものである。
【０００２】
【従来の技術】
従来から、缶ビールや日本酒等を販売するアルコール飲料自動販売機やタバコを販売するタバコ自動販売機があるが、未成年者がそのような自動販売機からアルコール飲料やタバコを購入できないようにすることが求められている。
【０００３】
アルコール飲料自動販売機等において、未成年者への販売を禁止できるようにする従来の手段としては、購入に先立って、自動販売機に運転免許証を挿入し、その生年月日を光学的に読み取ることにより、購入者が成人であるか否かを判定し、成人であると判定した場合のみ、販売可のランプを点灯するようにしたものがある。
【０００４】
また、成人にのみ暗証番号付の成人カードを発行し、自動販売機からアルコール飲料を購入する場合は、その成人カードを自動販売機に挿入すると共に、自動販売機に設けられているテンキーにより暗証番号を入力し、カードの暗証番号と入力した番号とが一致した場合のみ、販売可のランプを点灯するようにしたものも検討されている。
【０００５】
【発明が解決しようとする課題】
しかしながら、上記した従来のものの内、運転免許証を用いるものでは、運転免許証を持っている人の割合が、成人全体の５０％強に過ぎず、成人でありながらその自動販売機を利用できない人が多くなってしまうという問題点があった。また、運転免許証を使ってアルコール飲料を購入するのは、イメージ的に飲酒運転と結びついて印象がよくないという問題点もあった。さらに、暗証番号を使用しないため、他人の免許証でも使えてしまうという問題点もあった。
【０００６】
一方、成人カードを用いるものでは、新たに成人カードを発行しなければならず、カードの発行体制を整えたり、カードを１枚ずつ発行するのにかかる負担が大きくなるという問題点があった。また、利用者にとっても、持ち歩くカードが１枚増えてしまうという問題点もあった。さらに、暗証番号の照合を行うため、カードのデータ中に暗証番号を書き込んでおいて、それと入力されたものとを照合するか、センターで暗証番号を管理し、入力された番号とオンラインで照合するかのいずれかを行う必要があるが、カードに暗証番号を直接書き込むと、他人に読み取られてしまうおそれがあり、また、オンラインで照合する場合は、通信コストが高くなるという問題点があった。
【０００７】
本発明は、そのような問題点を解決し、運転免許証やカード等、何も用いることなく全ての成人が利用でき、飲酒運転を連想させることもなく、しかも、暗証番号により高い識別性能を確保しながら、その暗証番号を他人に読み取られるおそれもなく、暗証番号の照合のためオンラインで通信を行う必要もなくすることを目的とするものである。
【０００８】
【課題を解決するための手段】
前記課題を解決するため、請求項１に記載のユーザ認証システムは、所定の条件を満たす者の所定の身体的特徴点を読み取って得られたデータに一定の処理を施こすことにより、固有の識別信号を暗証データとして出力する識別信号確認手段と、ユーザの前記所定の身体的特徴点を読み取って得られたデータに前記処理と同じ処理を施こして得られた識別信号と、該ユーザが、キー又はボタンの操作により入力した暗証データとが一致したとき一致信号を出力するユーザ認証手段とを具えたことを特徴とする。このようにすると、運転免許証やその他のカード等を必要とせず、何もなくても所定の条件を満たすユーザの識別ができる。また、飲酒運転を連想させることもなく、しかも、暗証番号により高い識別性能を確保しながら、その暗証番号を他人に読み取られるおそれもなく、暗証番号の照合のためオンラインで通信を行う必要もなくなる。
【０００９】
また、請求項２に記載のユーザ認証システムは、所定の条件を満たす者の所定の身体的特徴点を読み取って得られたデータに一定の処理を施こすことにより、固有の識別信号を暗証データとして出力する識別信号確認手段と、ユーザの前記所定の身体的特徴点を読み取って得られたデータに前記処理と同じ処理を施こして得られた識別信号と、該ユーザが、身体の動作をカメラ介して入力した暗証データとが一致したとき一致信号を出力するユーザ認証手段とを具えたことを特徴とする。このようにしても、カード等、何もなくても所定の条件を満たすユーザの識別ができる。また、飲酒運転を連想させることもなく、しかも、暗証番号により高い識別性能を確保しながら、その暗証番号を他人に読み取られるおそれもなく、暗証番号の照合のためオンラインで通信を行う必要もなくなる。
【００１０】
また、請求項３に記載のユーザ認証システムは、所定の条件を満たす者の所定の身体的特徴点を読み取って得られたデータに一定の処理を施こすことにより、固有の識別信号を暗証データとして出力する識別信号確認手段と、ユーザの前記所定の身体的特徴点を読み取って得られたデータに前記処理と同じ処理を施こして得られた識別信号と、該ユーザが発した音声をマイクを介して入力した暗証データとが一致したとき一致信号を出力するユーザ認証手段とを具えたことを特徴とする。このようにしても、カード等、何もなくても所定の条件を満たすユーザの識別ができる。また、飲酒運転を連想させることもなく、しかも、暗証番号により高い識別性能を確保しながら、その暗証番号を他人に読み取られるおそれもなく、暗証番号の照合のためオンラインで通信を行う必要もなくなる。
【００１１】
また、請求項４に記載のユーザ認証装置は、ユーザの所定の身体的特徴点を読み取る読取手段と、該読取手段で得られたデータに所定の演算処理を施して識別信号を出力する演算手段と、ユーザが、予め、自己の所定の身体的特徴点を読み取ったデータに、前記演算処理と同じ処理を施して得られたデータを、暗証データとして、キー又はボタンの操作により入力する入力手段と、該入力手段から入力された暗証データと前記演算手段から出力された識別信号とを比較して両者が一致したとき一致信号を出力する一致検出手段とを具えたことを特徴とする。このようにすると、運転免許証やその他のカード等を必要とせず、何もなくても所定の条件を満たすユーザの識別ができる。
【００１２】
また、請求項５に記載のユーザ認証装置は、ユーザの所定の身体的特徴点を読み取る読取手段と、該読取手段で得られたデータに所定の演算処理を施して識別信号を出力する演算手段と、ユーザが、予め、自己の所定の身体的特徴点を読み取ったデータに、前記演算処理と同じ処理を施して得られたデータを、暗証データとして、身体の動作をカメラ介して入力する入力手段と、該入力手段から入力された暗証データと前記演算手段から出力された識別信号とを比較して両者が一致したとき一致信号を出力する一致検出手段とを具えたことを特徴とする。このようにしても、運転免許証やその他のカード等を必要とせず、何もなくても所定の条件を満たすユーザの識別ができる。
【００１３】
また、請求項６に記載のユーザ認証装置は、ユーザの所定の身体的特徴点を読み取る読取手段と、該読取手段で得られたデータに所定の演算処理を施して識別信号を出力する演算手段と、ユーザが、予め、自己の所定の身体的特徴点を読み取ったデータに、前記演算処理と同じ処理を施して得られたデータを、暗証データとして、発した音声をマイクを介して入力する入力手段と、該入力手段から入力された暗証データと前記演算手段から出力された識別信号とを比較して両者が一致したとき一致信号を出力する一致検出手段とを具えたことを特徴とする。このようにしても、運転免許証やその他のカード等を必要とせず、何もなくても所定の条件を満たすユーザの識別ができる。
【００１４】
【発明の実施の形態】
以下、本発明の実施の形態を図面に基づいて詳細に説明する。
図１は、本発明のユーザ認証システムを適用した自動販売機の前面を示す図である。図１において、１は硬貨投入口、２は金額表示器、３は返却レバー、４は硬貨返却口、５はユーザ認証装置、６は指紋センサ、７はテンキー、８は番号表示器、９は商品選択ボタン、１０は商品取出口、１１は商品サンプルである。
【００１５】
缶ビール等を販売するアルコール飲料自動販売機に、ユーザ認証装置５を設けている。ユーザ認証装置５は、指紋センサ６，テンキー７及び番号表示器８を具えている。指紋センサ６は、その上に指の腹面を当てると、指紋の形状に応じた信号を出力する。
【００１６】
図２は、ユーザ認証装置の制御ブロック図である。指紋センサ６，テンキー７，番号表示器８は、ＣＰＵ１２に接続されており、ＣＰＵ１２は、ＲＯＭ１３に書き込まれている制御プログラムに従って、それらの制御を行う。ＲＡＭ１４は、ＣＰＵ１２の作業用メモリとして機能する。
【００１７】
モード切換装置１５は、スイッチを操作することにより、このユーザ認証装置を番号確認モードと認証モードのいずれにするかを切り換える。また、通信装置１６は、外部の管理装置と通信を行うためのものであり、それを使って、長期間使ってきた演算処理を安全のため変更する際等に、演算処理用プログラムを外部から通信により書き換えたりする。
【００１８】
本発明のユーザ認証システムでは、指紋センサ６の出力に、予め定められた一定の演算処理を施すことにより、識別番号を作成する。その演算処理を行うためのプログラムもＲＯＭ１３に書き込まれている。そして、対象とする全ての自動販売機において、識別番号を作成する演算処理を一定のものに共通化しておけば、同じ指紋であれば、どの自動販売機においても同じ識別番号が出力される。
【００１９】
図３は、指紋センサの説明図である。図３（イ）に示すように、指紋センサ６の上に指の腹面を載せる。その結果、指紋センサ６の面には、図３（ロ）に点線で示す範囲に指が当接する。指紋センサ６は、指の指紋を識別できる大きさの微小な画素を持つＣＣＤセンサよりなり、それら多数の画素の内から特定の画素をいくつか取り出して演算処理を実行する。例えば、図３（ロ）にＰ１〜Ｐ１２で示すような測定点のセンサ出力を「０」と「１」の２値で、あるいは、多段階値やアナログ値として取り出す。いずれにしても、センサ出力は指紋の凹凸に応じた光の反射率で決まるため、それらの出力はそれぞれの指の指紋に応じて異なることになる。
【００２０】
そのようにして各測定点Ｐ１〜Ｐ１２のセンサ出力を取り出す際に、指紋センサ６の上に載せる指の位置は一定せず、同じ指でもそのたび毎に各測定点Ｐ１〜Ｐ１２のセンサ出力が変化してしまう。そこで、指の周縁等を基準にして、各測定点Ｐ１〜Ｐ１２の位置を補正する必要がある。そのようにすれば、それぞれの指について常に一定の出力が得られる。
【００２１】
演算処理は、例えば、図４に示すような方法で行う。すなわち、各測定点Ｐ１〜Ｐ１２の計測データに、それぞれ異なる重み付け値を掛け、それらを合計して演算値とする。その結果、それぞれの指紋毎に異なる演算値が得られる。本発明では、そのようにして得られた演算値を、識別番号として、それぞれの自動販売機ユーザに知らせておき、それを暗証番号として利用することにより、その指紋を持っている人が、未成年者でなくその自動販売機の利用が許された人であることを認証する。
【００２２】
そして、アルコール飲料用の自動販売機等、購入者を特定の層の人間に限定する必要がある自動販売機にそれを適用することにより、その自動販売機から購入しようとしている人が、購入を許可された人であるか否かを識別する。
【００２３】
以下に、アルコール飲料自動販売機において、未成年者への販売を禁止できるように、ユーザの識別を行う場合を例にして説明する。図５は、ユーザ認証装置における識別番号確認の手順を示す図である。
【００２４】
このようなユーザ認証装置５（図１）が設けられた自動販売機を利用したいユーザは、まず、(1)アルコール飲料自動販売機を置いてある酒店に行き、その自動販売機を使用したい旨を申し込む。(2)その申し込みを受けた酒店では、申し込んだユーザ本人が２０歳以上であるか否かを目で見て確認する。必要があれば、免許証，身分証明書等の提示を求めてもよい。
【００２５】
(3)いずれにしても、そのユーザが２０歳以上であることが確認できたら、自動販売機の前まで行って、識別番号確認処理を開始させるため、自動販売機の内部に設けられているモード切換装置を番号確認モードに切り換える。(4)そのユーザの特定の指、例えば、右の人差し指を指紋センサ６に載せてもらい、指紋を検出する。(5)前記測定点Ｐ１〜Ｐ１２の計測データを用いて所定の演算処理を行う。(6)演算結果を、暗証番号として番号表示器８に出力する。ユーザは、番号表示器８に表示された番号をメモする等して暗証番号として憶えておく。そして、所定時間経過後、表示を消して処理を終了する。また、モード切換装置を認証モード側に切り換えておく。
【００２６】
なお、上記実施形態では、モード切換装置によりモード切換することにより、同じユーザ認証装置を暗証番号の確認と認証の両方に用いるようにしたが、専用機で暗証番号の確認を行うようにしてもよい。その場合は、暗証番号の確認専用機を店内に置くことができ、モード切換は不要になる。
【００２７】
次に、上記識別番号を暗証番号として使って、自動販売機からアルコール飲料を購入する場合を説明する。まず、ユーザ認証装置５の指紋センサ６に所定の指を乗せる。その後、テンキー７を操作して上記暗証番号を入力する。その際の、ユーザ認証装置５における処理は、次のようになる。
【００２８】
図６は、ユーザ認証装置における処理を示すフローチャートである。
ステップ１…指紋センサ６で測定点Ｐ１〜Ｐ１２の計測データが得られたか否かを判別する。
ステップ２…得られたら、得られた計測データを使って全自動販売機共通の一定の演算処理を行い、所定桁数の識別番号を求める。
ステップ３…テンキー７から暗証番号の入力があったか否かを判別する。その際に、入力された番号を番号表示器８に表示させるようにしてもよい。また、番号を表示せずに、「＊」等で各桁が入力されたことだけを表示するようにしてもよい。
ステップ４…入力があったら、ステップ２で求めた識別番号と、ステップ３で入力された暗証番号とが一致したか否かを判別する。
ステップ５…両者が一致したら、自動販売機本体の制御部(図示せず)に対して、販売許可信号を出力する。
ステップ６…ステップ４で一致しなかったら、不一致回数をカウントする。
ステップ７…不一致回数が所定値、例えば３を超えたか否かを判別し、超えたら処理を終了させる。
【００２９】
自動販売機本体の制御部は、ユーザ認証装置５から販売許可信号を受けたら、販売可ランプを点灯し、硬貨投入口１から投入された硬貨を受け入れて通常の販売動作を開始する。
【００３０】
以上、一連のユーザ認証の操作と硬貨若しくは紙幣の投入の順序であるが、アルコール飲料のように未成年者に対して販売が規制されている商品のみを販売する場合には、まずユーザ認証の操作を行い、その後、硬貨を投入し、商品選択ボタンを押すのが一般的である。しかし、非規制の一般飲料もアルコール飲料も同一の自動販売機で販売する場合には、まず硬貨を投入し、その後、アルコール飲料を購入する場合のみユーザ認証の操作をしてから商品選択ボタンを押すようにすることが好ましい。
【００３１】
なお、上記実施形態では、身体の特徴点として指紋を読み取る場合で説明したが、その他に、手の甲の血管の紋様，虹彩の紋様，ほくろの分布，声紋等の個人毎に単一性の高い特徴点、身長,体重,顔面各部の配置，肌の色，体脂肪率等の単一性が低い特徴点を読み取って利用することもできる。その場合、それらを読み取るためのカメラ，マイク，体重計等が必要になる。
【００３２】
図７は、自動販売機にカメラを設けた例を示す図である。符号は図１のものに対応しており、１７がカメラである。このカメラ１７は、ＣＣＤカメラよりなり、それにより必要な身体部分を写してデータを採取する。
【００３３】
図８は、身体的特徴を検知する場合を示す図である。図８は、自動販売機の側面方向から見た状態で示しており、自動販売機前面に設けられたカメラ１７により、自動販売機ユーザ１８の身長，肩幅、頭部の長さと幅、あるいは顔面各部の配置等の身体的特徴を読み取っている。
【００３４】
図９は、演算処理に用いる顔面の特徴点の一例を示す図である。カメラ１７で上半身を写し、その画像から両目の間隔Ａ、左右の目の長さＢ，Ｃ、眉の間隔Ｄ、口の幅Ｅ、鼻の幅Ｆ等を読み取る。そして、演算は、例えば、それらの値に重み付けした上で足し合わせ、その結果を識別番号として出力する。
【００３５】
その際に、ユーザが立つ位置によってカメラ１７からの距離が変わってしまい、上記Ａ〜Ｆの値が変動してしまう。その結果、同じ人でも演算結果が一定しなくなる。それを防止するためには、測定値を、カメラ１７からの距離に応じて補正したり、顔の幅等を基準とする部位として決め、その測定値を基準にして他の部位の測定値を補正したりする必要がある。
【００３６】
また、特徴点として、ユーザの動作や、ユーザが発声した音声の特徴を読み取るようにしてもよい。例えば、カメラ１７の前で、じゃんけんの「グー」,「チョキ」,「パー」を任意の順で出し、その映像の時間的な変化を適宜の方法で抽出し、それに所定の演算処理を施して数値化する。また、ユーザに短い言葉をマイクに向かって言ってもらい、その声紋や、音の時間的な変化を適宜の方法で抽出し、それに所定の演算処理を施して数値化する。
【００３７】
また、特徴点として、身長と手の大きさとか、音声と動作とかというように、ユーザの複数箇所の身体的特徴点を読み取り、それらを総合して演算処理を行うようにしてもよい。
【００３８】
また、演算処理した結果は、数字の代わりに他の文字又は絵文字として出力するようにしてもよい。その場合は、他の文字又は絵文字を入力できる装置を設けて、自動販売機使用時に暗証番号の代わりに他の文字又は絵文字の文字列を入力することになる。
【００３９】
また、演算結果の出力として、番号の代わりに商品選択ボタンの押し順を指定する信号を出力するようにしてもよい。その場合は、自動販売機使用時に暗証番号の代わりに、登録時に指定された順に商品選択ボタンを押すことになる。そのようにすれば、暗証番号入力用の装置を別途設ける必要がなくなる。
【００４０】
また、図７に示す自動販売機のようにカメラ１７を設ける場合は、演算結果の出力として、身体の動作を指定する信号を出力するようにしてもよい。その場合は、自動販売機使用時に暗証番号の代わりに、カメラ１７の前で、登録時に指定された動作を行うことになる。
【００４１】
また、自動販売機にマイクを設け、ユーザが発声した音声を身体的特徴点として用いる場合は、演算結果の出力として、発声の仕方を指定する信号を出力するようにしてもよい。その場合は、自動販売機使用時に暗証番号の代わりに、マイクの前で、登録時に指定された音声を出すことになる。
【００４２】
指紋等に基づいて識別信号を生成する場合に、検出誤差により登録時と認証時とで演算結果が一致しないことが起こりうる。そのような場合、何度か繰り返し行えば一致はするが、そのようなことが度々起こると使い勝手が悪くなる。そこで、許容範囲を決めて、多少の検出誤差を許容して判定するようにしてもよい。
【００４３】
例えば、温度や湿度等の環境条件を検知し、環境条件が所定の範囲を超えたときは、検出結果が一致しなくても、読み取られた特徴点データに一定の範囲内で補正を加えて判定し、その結果一致すれば正当なユーザであると認証する。
【００４４】
また、本発明は、アルコール飲料自動販売機やタバコ自動販売機における未成年識別だけでなく、ユーザの認証を行う必要があるその他の用途、例えば、処方箋に従って調合された薬剤の販売時における患者の認証、特定の人のみが開閉できるようにしたドア、ロッカーの開閉許可等にも適用できる。
【００４５】
【発明の効果】
本発明は、以上説明したように構成されているので、次に記載するような効果を奏する。
すなわち、請求項１に記載のユーザ認証システムは、所定の条件を満たす者の所定の身体的特徴点を読み取って得られたデータに一定の処理を施こすことにより、固有の識別信号を出力する識別信号確認手段と、ユーザの前記所定の身体的特徴点を読み取って得られたデータに前記処理と同じ処理を施こして得られた識別信号と、該ユーザが、キー又はボタンの操作により入力したデータとが一致したとき一致信号を出力するユーザ認証手段とを具えることとした。その結果、飲酒運転を連想させる運転免許証やその他のいずれのカード等がなくても全ての成人が利用でき、しかも、暗証番号により高い識別性能を確保しながら、その暗証番号を他人に盗用されるおそれもなく、暗証番号の照合のためオンラインで通信を行う必要もなく、正当なユーザであることの認証ができる。
【００４６】
また、請求項２に記載のユーザ認証システムは、所定の条件を満たす者の所定の身体的特徴点を読み取って得られたデータに一定の処理を施こすことにより、固有の識別信号を暗証データとして出力する識別信号確認手段と、ユーザの前記所定の身体的特徴点を読み取って得られたデータに前記処理と同じ処理を施こして得られた識別信号と、該ユーザが、身体の動作をカメラ介して入力した暗証データとが一致したとき一致信号を出力するユーザ認証手段とを具えることとした。その結果、飲酒運転を連想させる運転免許証やその他のいずれのカード等がなくても全ての成人が利用でき、しかも、暗証番号により高い識別性能を確保しながら、その暗証番号を他人に盗用されるおそれもなく、暗証番号の照合のためオンラインで通信を行う必要もなく、正当なユーザであることの認証ができる。
【００４７】
また、請求項３に記載のユーザ認証システムは、所定の条件を満たす者の所定の身体的特徴点を読み取って得られたデータに一定の処理を施こすことにより、固有の識別信号を暗証データとして出力する識別信号確認手段と、ユーザの前記所定の身体的特徴点を読み取って得られたデータに前記処理と同じ処理を施こして得られた識別信号と、該ユーザが発した音声をマイクを介して入力した暗証データとが一致したとき一致信号を出力するユーザ認証手段とを具えることとした。その結果、飲酒運転を連想させる運転免許証やその他のいずれのカード等がなくても全ての成人が利用でき、しかも、暗証番号により高い識別性能を確保しながら、その暗証番号を他人に盗用されるおそれもなく、暗証番号の照合のためオンラインで通信を行う必要もなく、正当なユーザであることの認証ができる。
【００４８】
また、請求項４に記載のユーザ認証装置は、ユーザの所定の身体的特徴点を読み取る読取手段と、該読取手段で得られたデータに所定の演算処理を施して識別信号を出力する演算手段と、ユーザが、予め、自己の所定の身体的特徴点を読み取ったデータに、前記演算処理と同じ処理を施して得られたデータを、暗証データとして、キー又はボタンの操作により入力する入力手段と、該入力手段から入力された暗証データと前記演算手段から出力された識別信号とを比較して両者が一致したとき一致信号を出力する一致検出手段とを具えるようにした。その結果、運転免許証やその他のカード等を必要とせず、何もなくても所定の条件を満たすユーザの識別ができる。
【００４９】
また、請求項５に記載のユーザ認証装置は、ユーザの所定の身体的特徴点を読み取る読取手段と、該読取手段で得られたデータに所定の演算処理を施して識別信号を出力する演算手段と、ユーザが、予め、自己の所定の身体的特徴点を読み取ったデータに、前記演算処理と同じ処理を施して得られたデータを、暗証データとして、身体の動作をカメラ介して入力する入力手段と、該入力手段から入力された暗証データと前記演算手段から出力された識別信号とを比較して両者が一致したとき一致信号を出力する一致検出手段とを具えるようにした。その結果、運転免許証やその他のカード等を必要とせず、何もなくても所定の条件を満たすユーザの識別ができる。
【００５０】
また、請求項６に記載のユーザ認証装置は、ユーザの所定の身体的特徴点を読み取る読取手段と、該読取手段で得られたデータに所定の演算処理を施して識別信号を出力する演算手段と、ユーザが、予め、自己の所定の身体的特徴点を読み取ったデータに、前記演算処理と同じ処理を施して得られたデータを、暗証データとして、発した音声をマイクを介して入力する入力手段と、該入力手段から入力された暗証データと前記演算手段から出力された識別信号とを比較して両者が一致したとき一致信号を出力する一致検出手段とを具えるようにした。その結果、運転免許証やその他のカード等を必要とせず、何もなくても所定の条件を満たすユーザの識別ができる。
【図面の簡単な説明】
【図１】本発明のユーザ認証システムを適用した自動販売機の前面を示す図である。
【図２】ユーザ認証装置の制御ブロック図である。
【図３】指紋センサの説明図である。
【図４】演算処理の一例を示す図である。
【図５】ユーザ認証装置における識別番号確認の手順を示す図である。
【図６】ユーザ認証装置における処理を示すフローチャートである。
【図７】自動販売機にカメラを設けた例を示す図である。
【図８】身体的特徴を検知する場合を示す図である。
【図９】演算処理に用いる顔面の特徴点の一例を示す図である。
【符号の説明】
１…硬貨投入口
２…金額表示器
３…返却レバー
４…硬貨返却口
５…ユーザ認証装置
６…指紋センサ
７…テンキー
８…番号表示器
９…商品選択ボタン
１０…商品取出口
１１…商品サンプル
【図１】
0004729798.tif 000002
【図２】
0004729798.tif 000003
【図３】
0004729798.tif 000004
【図４】
0004729798.tif 000005
【図５】
0004729798.tif 000006
【図６】
0004729798.tif 000007
【図７】
0004729798.tif 000008
【図８】
0004729798.tif 000009
【図９】
0004729798.tif 000010